(57)【要約】【課題】比較的限られたスペースにおいても、運搬、組立等の作業を容易に行うことのできる組立式ブースを提供することにある。【解決手段】この組立式ブース１は、完成状態と解体状態とを取り得る組立式ブースであって、フレーム３と、床部材５と、側方部材７と、シート状部材９とを備えている。フレーム３は、完成状態において直方体の各辺を構成するよう複数の支柱部材１５が互いに連結されてなるとともに、解体状態において一方向に延びる形状に折り畳み可能である。床部材５，側方部材７及びシート状部材９は、直方体の各面を覆うようフレーム３に着脱自在に装着される。【選択図】      図１
2004316072.tif 000002
【特許請求の範囲】
【請求項１】
完成状態と解体状態とを取り得る組立式ブースであって、
前記完成状態において直方体の各辺を構成するよう複数の支柱部材が互いに連結されてなるとともに、前記解体状態において一方向に延びる形状に折り畳み可能なフレームと、
前記直方体の各面を覆うよう前記フレームに着脱自在に装着される複数の被覆部材と、
を備えた組立式ブース。
【請求項２】
前記フレームにおいて、前記直方体の対向する２つの面の各辺を構成する前記支柱部材の中間部分がそれぞれ折り返し可能である、請求項１に記載の組立式ブース。
【請求項３】
前記複数の被覆部材はそれぞれ、前記解体状態において前記完成状態におけるよりも占有スペースが小さくなるよう変形可能である、請求項１または２に記載の組立式ブース。
【請求項４】
前記被覆部材は、
前記直方体の底面に配置されるとともに、前記解体状態において平面形状となるよう折り畳み可能である床部材と、
前記直方体の前記底面を除く面のうち少なくとも対向する２つの面に配置されるとともに、配置された前記面上の一方向にそれぞれ伸縮自在な側方部材と、
前記直方体の他の面に配置されるシート状部材とを含む、
請求項１から３のいずれかに記載の組立式ブース。
【請求項５】
前記側方部材は、蛇腹状に加工された伸縮部を有している、請求項４に記載の組立式ブース。
【請求項６】
前記側方部材は、前記完成状態において外方に膨らむ形状を有している、請求項４または５に記載の組立式ブース。
【請求項７】
前記直方体の少なくとも一面において前記シート状部材をさらに被覆可能なロールスクリーンをさらに備えた、請求項４から６のいずれかに記載の組立式ブース。
【請求項８】
前記フレームは、金属性であり、
前記被覆部材は、不燃性材料で実質的に構成されている、
請求項１から７のいずれかに記載の組立式ブース。
【請求項９】
前記床部材の下部に装着された複数のキャスターをさらに備えた。請求項４から８のいずれかに記載の組立式ブース。
【請求項１０】
請求項１から９のいずれかに記載の複数の組立式ブースと、
前記複数の組立式ブースを互いに連結するための連結部材と、
を備えたブース連結体。
【発明の詳細な説明】
【０００１】
【発明の属する技術分野】
本発明は、組立式ブース、特に、完成状態と解体状態とを取り得る組立式ブースに関する。
【０００２】
【従来の技術】
屋外店舗、テントハウス、ユニット家屋等の外部から閉鎖された空間を有するブースは、一般に、完成品として流通することが多いが、比較的大きなスペースを占有する物品であるため、保管場所の確保や、運搬が困難であることが多い。そこで、これらのブースが構成部品ごとに解体可能なブースや、部分的に折り畳むことが可能な組立式ブースが既に提案されている（例えば、特許文献１及び２参照。）。
【０００３】
これらの技術では、完成した状態で直方体形状であるブースにおいて、天井部分及び床部分が、側面部分で構成された本体部分から着脱自在若しくは本体部分に対し開閉自在に装着されるとともに、本体部分を折り畳んで平面形状とすることができるため、解体状態においてコンパクトな形状にすることができる。このようなブースでは、設置場所等で実際に組み立てるまでの間の保管、運搬等の際に嵩張らずに済むため、取り扱い性が向上する。
【０００４】
【特許文献１】
特開平２−２７２１２６号公報
【０００５】
【特許文献２】
特開平１１−１４０９８３号公報
【０００６】
【発明が解決しようとする課題】
上記従来の技術では、ブースの本体部分は、折り畳まれた状態において平面形状であるため、側面部分の面積が比較的大きいブースの場合は、保管の際の占有スペースが依然として大きく、また、運搬の際に安定して運ぶためには作業人員を多く要する等の問題がある。
【０００７】
このような不都合は、駅構内や商業施設内のような比較的限られたスペースにブースを設置する場合に、特に顕著に現れる。
本発明の目的は、比較的限られたスペースにおいても、運搬、組立等の作業を容易に行うことのできる組立式ブースを提供することにある。
【０００８】
【課題を解決するための手段】
請求項１に係る組立式ブースは、完成状態と解体状態とを取り得る組立式ブースであって、フレームと、複数の被覆部材とを備えている。フレームは、完成状態において直方体の各辺を構成するよう複数の支柱部材が互いに連結されてなるとともに、解体状態において一方向に延びる形状に折り畳み可能である。複数の被覆部材は、直方体の各面を覆うようフレームに着脱自在に装着される。なお、本発明において、ブースには、外部から閉鎖された所定の空間を有する種々の構造物が含まれる。また、本発明において、直方体は、発明の理解の便宜のために用いられる仮想的なものである。また、本発明において直方体には立方体も含まれる。
【０００９】
この組立式ブースでは、フレームは、複数の支柱部材で構成され壁面等を有していないため、支柱部材を折り畳むことにより一方向に延びる概ね棒状形状にすることができる。すなわち、ブースの各構成部材のうち通常最も大きなスペースを占有するフレームをさらにコンパクトな形状にすることができるため、保管、運搬が容易になるとともに、作業性が改善される。
【００１０】
請求項２に係る組立式ブースは、請求項１の組立式ブースにおいて、フレームにおいて、直方体の対向する２つの面の各辺を構成する支柱部材の中間部分がそれぞれ折り返し可能である。
この組立式ブースでは、具体的に、かかる部分の支柱部材が折り返し可能であることにより、フレームを一方向に延びる形状とすることができる。
【００１１】
請求項３に係る組立式ブースは、請求項１または２に記載の組立式ブースにおいて、複数の被覆部材はそれぞれ、解体状態において完成状態におけるよりも占有スペースが小さくなるよう変形可能である。
この組立式ブースでは、フレームのみでなく被覆部材も占有スペースが小さくなるよう変形可能であるため、解体状態における保管性、運搬性、作業性がより向上する。
【００１２】
請求項４に係る組立式ブーツは、請求項１から３のいずれかの組立式ブースにおいて、被覆部材は、床部材と、側方部材と、シート状部材とを含む。床部材は、直方体の底面に配置されるとともに、解体状態において平面形状となるよう折り畳み可能である。側方部材は、直方体の底面を除く面のうち少なくとも対向する２つの面に配置されるとともに、配置された面上の一方向にそれぞれ伸縮自在である。シート状部材は、直方体の他の面に配置される。
【００１３】
この組立式ブースでは、具体的に、床部材、側方部材及びシート状部材で直方体形状のフレームの各面が被覆されることで、外部から閉鎖された空間が形成される。また、ここでは、床部材は折り畳み可能であり、側方部材は一方向に伸縮自在であり、シート状部材は自在に変形できることにより、フレームと同様、解体状態においてそれぞれコンパクトな形状にすることができるため、保管性、運搬性等が改善される。
【００１４】
請求項５に係る組立式ブースは、請求項４の組立式ブースにおいて、側方部材は、蛇腹状に加工された伸縮部を有している。
この組立式ブースでは、側方部材は、具体的に、蛇腹状の伸縮部を有していることで、解体状態においてコンパクトな形状にすることができる。
請求項６に係る組立式ブースは、請求項４または５の組立式ブースにおいて、側方部材は、完成状態において外方に膨らむ形状を有している。
【００１５】
この組立式ブースでは、側方部材が完成状態において外側に膨らんだ形状であることによって、特徴的な外観を呈しているため、例えば、屋外店舗として用いた場合の集客効果や、その場合に提供されるサービスの宣伝効果を期待することができる。
請求項７に係る組立式ブースは、請求項４から６のいずれかの組立式ブースにおいて、ロールスクリーンをさらに備えている。ロールスクリーンは、直方体の少なくとも一面においてシート状部材をさらに被覆可能である。
【００１６】
この組立式ブースでは、具体的に、シート状部材で被覆された側面のうち少なくとも１つの側面にロールスクリーンが配置されているため、例えば、集客効果や宣伝効果を期待して表面に予め所定の図柄を描いたり、完成状態において必要に応じて広げたり収納したりすることができる。
請求項８に係る組立式ブースは、請求項１から７のいずれかの組立式ブースにおいて、フレームは、金属性である。被覆部材は、不燃性材料で実質的に構成されている。
【００１７】
この組立式ブースでは、フレーム及び被覆部材が不燃性であるため、ブース内で加熱器具等を使用する場合において、このような器具等を転倒、放置等することによって出火してしまうのを抑えることができる。
請求項９に係る組立式ブースは、請求項４から８のいずれかの組立式ブースにおいて、複数のキャスターをさらに備えている。複数のキャスターは、床部材の下部に装着されている。
【００１８】
この組立式ブースでは、床部材の下部にキャスターが装着されているため、完成状態においても容易に移動させることができる。
請求項１０に係るブース連結体は、複数の組立式ブースと、連結部材とを備えている。複数の組立式ブースは、請求項１から９のいずれかに記載のものである。連結部材は、複数の組立式ブースを互いに連結するためのものである。
【００１９】
このブース連結体では、上記の組立式ブースが複数連結されていることから、より特徴的な外観を呈するようになり、例えば、屋外店舗として用いた場合に、集客効果や宣伝効果を期待することができる。
【００２０】
【発明の実施の形態】
図１から図８に、本発明の一実施形態が採用された組立式ブース１を示す。
この組立式ブース１は、全体として一体の完成品となる完成状態と、各構成部材が別個独立の状態となる解体状態とを取り得る、組立及び解体自在なブースである。組立式ブース１は、フレーム３と、床部材５と、２つの側方部材７と、シート状部材９と、ロールスクリーン１０と、複数の連結部材１３とを備えている。
【００２１】
フレーム３は、完成状態において直方体の各辺を構成するように配置された複数の、アルミ、ステンレス等の金属製支柱部材１５が互いに連結されてなる。フレーム３は、完成状態では、内側に一人乃至数人の人が入れる程度の大きさを有している。このフレーム３は、直方体の対向する２つの面の各辺を構成する８本の支柱部材１５はそれぞれ、２つの棒状部分の一端同士が互いに回動自在に連結されており、この部分（中間部分）１５ａを回動中心として折り返し可能となっている（図６参照）。これにより、フレーム３は、解体状態において一方向に延びる形状（図８参照）となることが可能である。
【００２２】
床部材５は、直方体の底面に配置される矩形状の平板部材であり、強化ＦＲＰ（繊維強化プラスチック）製である。床部材５は、２つの板状部材がその一端同士が互いに回動自在に連結されており、解体状態においても平面形状を取り得るよう構成されている（図７及び図８参照）。
２つの側方部材７は、直方体の側面のうち対向する２つの面に配置される部材であり、側面視して外方に膨らんだ形状を有している。側方部材７は、アルミ、ステンレス等の金属製の枠体７ａと、不燃性素材からなる蛇腹状のシート部材で構成された伸縮部７ｂとを有している。側方部材７は、伸縮部７ｂが伸縮することにより、一方向（図１において紙面奥行き方向、図２において上下方向）に伸縮自在であり、解体状態において概ね一方向に延びる形状を取り得る（図７及び図８参照）。
【００２３】
シート状部材９は、側方部材７が配置された側面を除く他の２つの側面と上面とに配置される部材であり、テント用シート部材が用いられる。また、一方の側面には、シート状部材９を被覆するようロールスクリーン１０が掛け渡されており、必要に応じてロール状に収納及びシート状に展開可能である。なお、ロールスクリーン１０は、所定の図柄を鮮明に描ける素材で構成されたものが好ましい。
【００２４】
上記床部材５，側方部材７及びシート状部材９は、直方体の各面を覆うようフレーム３に対し、公知の方法により着脱自在に装着される。また、フレーム３とこれらの部材５，７，９との間には、完成状態において内部に密閉空間が形成されるようゴムパッキン等のシール部材が設けられてもよい。
複数の連結部材１３は、複数の組立式ブース１を連結するための部材である。連結部材１３は、側方部材７の枠体７ａに連結されるＴ字形状のアルミ、ステンレス等の金属製支持体１３ａと、支持体１３ａの先端部に装着された吸盤１３ｂとを有している。
【００２５】
なお、図１中一点鎖線で示すように、組立式ブース１は、複数のキャスター１１を備えていてもよい。複数のキャスター１１は、床部材５下面の四隅に装着され、主として、完成状態における組立式ブース１の移動を容易にすることができる。また、組立式ブース１が複数のキャスター１１を備えている場合は、解体後に例えばその上面に他の部材３，５，７，９を載せて運ぶのが容易となるよう、解体状態においても床部材５から取り外されなくともよい。
【００２６】
このように構成された組立式ブース１を組み立てる際は、まず、折り畳まれたフレーム３を広げて直方体形状にするとともに、折り畳まれた床部材５を広げて平板形状にする。そして、床部材５の上面にフレーム３を載置し、床部材５をフレーム３の底面部分の支柱部材１５に装着する。次いで、フレーム３の対向する２つの側面に側方部材７をそれぞれ配置し、枠体７ａをフレームの側面部分の支柱部材１５に装着する。また、フレーム３の他の対向する２つの側面及び上面を覆うようシート状部材９を配置し、対応する支柱部材１５に装着するとともに、一方の側面の上辺を構成する支柱部材１５にロール状に巻かれたロールスクリーン１０を装着する。さらに、側方部材７に連結部材１３を装着するとともに、必要に応じて複数のキャスター１１を床部材５に装着する。
【００２７】
このようにして組み立てられた組立式ブース１では、外部から閉鎖された所定の空間が形成され、例えば、駅構内や各種商業施設内に設置して、種々のサービスを提供するための店舗等として用いることができる。この場合、例えば、空間内にリクライニングシート２１、ソファ等を配置することで、リラクゼーション或いは休息のための空間の提供といったサービスを行うことができる。また、例えば、所定の調理器具を備え付けることで、食材を調理して外側の通行人等に販売する或いは各種物品販売等のサービスを行うことができる。特に、ブース内に密閉された空間が形成される場合は、遮音性に優れた空間を生成できるとともに、空調機２３、加湿器等を備え付けることにより快適な温熱空間を生成することができる。なお、この場合は、空調機２３等の動力源となるバッテリー２５はブースの外側に設置されるのが好ましい。
【００２８】
一方、完成状態の組立式ブース１を解体する場合は、前述の組立時の作業をほぼ逆の手順で行うことによって解体することができる。
このような組立式ブース１では、フレーム３は、複数の支柱部材１５で構成されていることから、図８に示すような一方向に延びる形状に折り畳むことができる。これにより、組立式ブース１の各構成部材のうち最も大きなスペースを占有するフレーム３を平面形状よりもさらにコンパクトな形状にすることができ、保管場所の確保等が容易になる。また、解体状態におけるフレームは一方向に延びる形状であるため、例えば、搬送用エレベータを用いた搬送が容易になり、或いは、運搬時の安定性が平面形状のものに比べ優れていることから少ない人員によって運搬し、解体、撤去、移動、組立等の一連の動作を場所を選ばずに迅速かつ容易に行うことができる。
【００２９】
［他の実施形態］
（ａ）図９に示すように、上記実施形態の組立式ブースを複数用意し、これらを上記連結部材で連結することによってブース組立体を得ることができる。このようなブース連結体は、細長い通路のような場所にも設置することができ、また、その特徴的な外観により集客効果を期待することができる。
【００３０】
（ｂ）側方部材及びシート状部材の配置の態様は、上記実施形態に限定されるものではなく、フレームの直方体の全ての側面に、側方部材が配置されてもよく、或いは逆にシート状部材が配置されてもよい。
（ｃ）組立式ブースの用途は、上記実施形態で示したものは一例であり、特に限定されない。
【００３１】
（ｄ）ロールスクリーン及びキャスターは、組立式ブースにおいて必須の構成部材ではない。
（ｅ）シート状部材は、不燃性素材で構成されてもよい。この場合は、組立式ブース全体からの出火や延焼をより確実に防ぐことができる。
（ｆ）フレームと側方部材とは、図１０に示すように、解体状態においても、磁石、面ファスナ（例えば、マジックテープ（登録商標））等の適当な連結手段によって互いに連結されたままの状態であってもよい。この場合は、フレームの折り畳みと側方部材の伸縮とを同時に行えるため、組立式ブースの解体及び組立をより素早くかつ簡単に行うことができる。また、このフレーム−側方部材の連結体も、解体状態において一方向に延びる形状を取り得る。
【００３２】
【発明の効果】
本発明によれば、フレームは、複数の支柱部材で構成され壁面等を有していないため、支柱部材を折り畳むことにより一方向に延びる概ね棒状形状にすることができる。すなわち、ブースの各構成部材のうち通常最も大きなスペースを占有するフレームをさらにコンパクトな形状にすることができるため、保管、運搬が容易になるとともに、作業性が改善される。
【図面の簡単な説明】
【図１】本発明の一実施形態が採用された組立式ブースの完成状態を示す正面図。
【図２】前記組立式ブースを示す上面図。
【図３】前記組立式ブースを示す側面図。
【図４】前記組立式ブースの解体手順の一部を示す正面概略図。
【図５】前記組立式ブースの解体手順の一部を示す上面概略図。
【図６】前記組立式ブースのフレームが折り畳まれる際の途中の状態を模式的に示す斜視図。
【図７】前記組立式ブースの一部の解体状態を示す上面図。
【図８】前記組立式ブースの一部の解体状態を示す正面図。
【図９】本発明の一実施形態が採用されたブース連結体を示す正面図。
【図１０】図７の他の解体状態の例を示す上面図。
【符号の説明】
１  組立式ブース
３  フレーム
５  床部材
７  側方部材
９  シート状部材
１０  ロールスクリーン
１１  キャスター
１３  連結部材
１５  支柱部材
【図１】
2004316072.tif 000003
【図２】
2004316072.tif 000004
【図３】
2004316072.tif 000005
【図４】
2004316072.tif 000006
【図５】
2004316072.tif 000007
【図６】
2004316072.tif 000008
【図７】
2004316072.tif 000009
【図８】
2004316072.tif 000010
【図９】
2004316072.tif 000011
【図１０】
2004316072.tif 000012